(57)【要約】【課題】装着作業を簡略化し、装着安定性を高めた車いす用グローブを提供する。【解決手段】車いすの車輪外方に設けられる操作リムを手で回す際、操作リムとの摩擦から手を保護するため、車いすの利用者が手に装着して使用する車いす用グローブ１であって、手の平に宛がう本体面２から小指下の手の側縁に掛け回して手の甲に至る主分割面３と、前記本体面２から人差指及び親指の間に掛け回して手の甲に至る副分割面４と、前記本体面２から親指下の手の側縁に掛け回して手の甲に至る装着面５とからなり、手の甲の上で重ね合わせた主分割面３と副分割面４とを面ファスナーで着脱自在とし、前記主分割面３及び副分割面４の上側になる一方と装着面５とを面ファスナーで着脱自在とした車いす用グローブで１ある。【選択図】図１
2008063679.tif 000002
【特許請求の範囲】
【請求項１】
手の平に宛がう本体面から小指下の手の側縁に掛け回して手の甲に至る主分割面と、前記本体面から人差指及び親指の間に掛け回して手の甲に至る副分割面と、前記本体面から親指下の手の側縁に掛け回して手の甲に至る装着面とからなり、手の甲の上で重ね合わせた主分割面と副分割面とを面ファスナーで着脱自在とし、前記主分割面及び副分割面の上側になる一方と装着面とを面ファスナーで着脱自在としてなる車いす用グローブ。
【請求項２】
主分割面、副分割面又は装着面のいずれか又は全部は、少なくともそれぞれの掛け回す方向に伸縮自在な伸縮面を一部又は全部に用いた請求項１記載の車いす用グローブ。
【請求項３】
手の甲の上で重ね合わせる主分割面と副分割面とは、副分割面の外面に面ファスナーの雄面を、主分割面の内面に面ファスナーの雌面を設け、主分割面を上側として前記面ファスナーにより着脱自在とした請求項１又は２いずれか記載の車いす用グローブ。
【請求項４】
装着面は、指を引っ掛けるガイドループを設けた請求項１〜３いずれか記載の車いす用グローブ。
【発明の詳細な説明】
【技術分野】
【０００１】
本発明は、車いすの利用者が手に装着する車いす用グローブに関する。
【背景技術】
【０００２】
車いす用グローブは、車輪外方に設けられる操作リムを手で回す際、操作リムとの摩擦から手を保護するため、車いすの利用者の手に装着して使用される。このように、車いす用グローブは特定の目的をもって使用されることから、通常指を覆う部分がなく、もっぱら手の甲及び手の平を包み込む大きさで、操作リムとの摩擦に抗する保護パッドが手の平側に取り付けられる構成も見られる。従来の車いす用グローブは、通常の手袋の延長線上で構成されることも少なくなかったが、車いすの利用者が必ずしも手が自由に使えると限らないことから、前記通常の手袋の延長線上で構成された車いす用グローブは、利用者によって装着しづらい場面を多々生じさせていた。
【０００３】
特許文献１の車いす用グローブ（車椅子用手袋）は、手の甲及び手の平それぞれに対応した皮革製等の被覆部から構成され、装着を簡単にするために手の甲に対応する被覆部を左右分割可能にすると共に、手に対する装着状態をずれなく保つ必要性から、手の甲に対応する被覆部に親指差込部を必要的に設けている。この特許文献１の車いす用グローブの特徴は、手の甲に対応する被覆部（甲面部）に、長さ調節可能な締付バンドを設けている点にある。これにより、この特許文献１の車いす用グローブは、利用者の指が不自由であっても、利用者自身で比較的簡単に装着でき、しかも前記装着状態で十分に手にフイット（緊締）できる効果があるとする。このほか、この特許文献１の車いす用グローブは、被覆部の材料に摩擦強度を頼っているが、適宜保護パッド（補強シート）を取り付けてもよいとしている。
【０００４】
特許文献２の車いす用グローブ（帯状保護具）は、利用者が指に不自由を抱える場合であっても、簡単かつ容易に脱着できることを目的として、手の甲及び手の平を略１周半掛け回せる帯状体と、前記帯状体の一端部に形成される装着側の手の親指引っ掛け部と、帯状体の他端部に形成される装着しない側の手の指引っ掛け部と、帯状体の表面側に前記親指引っ掛け部に近接して固着された第１の面ファスナーと、帯状体の裏面側に前記指引っ掛け部の周囲に設けられた第２の面ファスナーと、帯状体の表面側に前記第２の面ファスナーに隣接して設けられた親指差し込み部とから構成される。これにより、利用者の指が不自由であっても、帯状体を装着する側の手の親指に引っ掛けてぐるっと回すだけで簡単かつ容易に脱着できる効果があるとする。この特許文献２の車いす用グローブは、帯状体を手の平側で重ね合わせて厚くすることにより、保護パッドを省略している。
【０００５】
【特許文献１】特開2003-082510号公報（［0014］〜［0016］、［0033］、［0034］、図１及び図２）
【特許文献２】特開2005-220507号公報（［0006］、［0007］、図１及び図２）
【発明の開示】
【発明が解決しようとする課題】
【０００６】
特許文献１及び特許文献２の各車いす用グローブは、いずれも装着する手の親指を抜き差しする親指差込部（特許文献１）又は親指差し込み部（特許文献２）を設ける点で共通している。確かに、特許文献１が指摘するように、手に対する装着安定性を図る点からは、親指差込部等があることは望ましい。しかし、指の不自由な利用者にとっては、親指差込部等といえども、特定の指のみを正しく差しこむ装着作業が困難であり、依然として車いす用グローブの着脱を容易にするとまでは言えない。
【０００７】
また、装着する手に帯状体を巻き付ける特許文献２の車いす用グローブより、締付バンドを用いて手に密着させる特許文献１の車いす用グローブが好ましいと考えられるが、上述したように、親指差込部に親指を差しこむ装着作業すら難しい指の不自由な利用者に、締付バンドを締め付けさせることは、更に難しいと言わなければならない。こうした指の不自由な利用者の装着作業に関わる問題は、車いす用グローブには親指差込部等が必要であり、前記親指差込部等に親指を差しこんだ状態で左右方向から手を包み込むように装着する車いす用グローブの構造に起因して発生していた。
【０００８】
そこで、主として指の不自由な利用者を想定し、親指差込部等をなくして装着作業を簡略化すると共に、装着安定性を高めるため、従来のように左右方向から手を包み込むように装着するのではなく、複数方向から手を包み込める車いす用グローブを開発するため、検討した。
【課題を解決するための手段】
【０００９】
検討の結果開発したものが、車いすの車輪外方に設けられる操作リムを手で回す際、操作リムとの摩擦から手を保護するため、車いすの利用者が手に装着して使用する車いす用グローブであって、手の平に宛がう本体面から小指下の手の側縁に掛け回して手の甲に至る主分割面と、前記本体面から人差指及び親指の間に掛け回して手の甲に至る副分割面と、前記本体面から親指下の手の側縁に掛け回して手の甲に至る装着面とからなり、手の甲の上で重ね合わせた主分割面と副分割面とを面ファスナーで着脱自在とし、前記主分割面及び副分割面の上側になる一方と装着面とを面ファスナーで着脱自在とした車いす用グローブである。
【００１０】
本発明の車いす用グローブは、本体面を手の平に宛がった状態で、前記本体面から主分割面、副分割面、そして装着面を３方向から手の甲に掛け回し、手の甲の上で前記主分割面、副分割面、そして装着面を重ね合わせ、相互に面ファスナーで固定することにより、親指差込部等をなくして装着作業を簡略化すると共に、複数方向から手を包み込む構造により、装着安定性を高めている。すなわち、主分割面及び副分割面が利用者の手を左右方向から包み込みながら、前記主分割面及び副分割面に対して交差方向から装着面を宛がって面ファスナーにより固定することで利用者の手を３方向から包み込み、利用者の手に対する主分割面及び副分割面の位置ずれを防止しつつ、副分割面及び装着面により親指を包むようにして装着安定性を確保している。
【００１１】
本発明の車いす用グローブは、上述したように、主分割面、副分割面及び装着面が３方向から利用者の手を包み込むことにより装着安定性を確保する。しかし、前記主分割面、副分割面及び装着面が利用者の手に密着していないと、前記密着していない部分で位置ずれが発生する虞がある。そこで、主分割面、副分割面又は装着面のいずれか又は全部は、少なくともそれぞれの掛け回す方向に伸縮自在な伸縮面を一部又は全部に用い、主分割面、副分割面及び装着面を緊張状態で利用者の手に密着させるようにするとよい。この場合、主分割面及び副分割面は左右方向に対向するので、いずれかに伸縮面を用いればよい。伸縮面は、通気性も考慮してメッシュ生地を用いることが好ましい。
【００１２】
装着面は、重ね合わせた主分割面及び副分割面はいずれか上側となる一方に着脱することから、装着面の引っ張りに対向する主分割面と着脱できるように、副分割面に主分割面を重ね合わせる構成が好ましい。このとき、小指下の手の側縁に掛け回す主分割面は、人差指及び親指の間に掛け回す副分割面や親指下の手の側縁に掛け回す装着面より相対的に大きくなりやすいので、副分割面からはみ出しても手の甲を傷つけない面ファスナーの雌面を主分割面に割り当てることが好ましい。すなわち、手の甲の上で重ね合わせた主分割面と副分割面とは、副分割面の外面に面ファスナーの雄面を、主分割面の内面に面ファスナーの雌面を設け、主分割面を上側として前記面ファスナーにより着脱自在とする。これに対し、前述のように、主分割面は相対的に装着面より大きいため、主分割面の外面に面ファスナーの雌面を、装着面の内面に面ファスナーの雄面を設けてもよいし、逆に主分割面の外面に面ファスナーの雄面を、装着面の内面に面ファスナーの雌面を設けてもよい。
【００１３】
本発明の車いす用グローブは、使用時毎に主分割面、副分割面、そして装着面を着脱するのではなく、最初の使用に際して主分割面及び副分割面を利用者の手に合わせて面ファスナーを係合させせれば、その後は分離させることなく、主分割面及び副分割面の上側になる一方と装着面との面ファスナーによる着脱のみで、装着及び解除する。この場合、本体面、主分割面及び副分割面により形成される本体ループ（本体面を含んで構成される環状部位）は、四指（人差指、中指、薬指及び小指）を挿入して車いす用グローブの装着位置を決定する働きを有する。親指差込部に比べて、前記本体ループに四指を挿入することは容易であり、手の不自由な利用者も一人で装着作業を実施できる。
【００１４】
装着作業は、本体ループに四指を挿入した後、装着面を本体面から親指下の手の側縁に掛け回して、既に手の甲に重ね合わせた主分割面及び副分割面の一方に前記装着面の面ファスナーを係合させれば完了する。この時、装着面の取り扱いを簡易にするため、前記装着面は、指を引っ掛けるガイドループ（装着面を案内する環状部材）を設けておくとよい。これにより、指の不自由な利用者でも、指を引っ掛けたガイドループを介して装着面を引っ張っり、主分割面及び副分割面の上側になった一方に対して緊密に装着面を係合できる。逆に、車いす用グローブを外す際にも、ガイドループに指を引っ掛けて容易に装着面の係合を解除することができ、後は本体ループから四指を引き抜けば済む。ガイドループは、紐又は帯状布を環状にして構成でき、通常装着面の外面に設けるとよい。
【発明の効果】
【００１５】
本発明により、指の不自由な利用者であっても、一人でかつ容易に装着作業ができる車いす用グローブが提供できるようになる。これは、従来同種の車いす用グローブに設けられていた親指差込部等をなくしたことによる効果である。そして、本発明は、前述のように親指差込部等をなくしながら、利用者の手を複数方向から包み込めるようにして、従来同種の車いす用グローブと同等以上の装着安定性を実現している。これは、本体面から３方向に延びる主分割面、副分割面、そして装着面を手の甲の上で面ファスナーにより結合できるようにした構成又は構造による効果である。
【発明を実施するための最良の形態】
【００１６】
以下、本発明の実施形態について図を参照しながら説明する。図１は本発明を適用した車いす用グローブ１（左手用）の一例を表わす平面図、図２は本例の車いす用グローブ１を表わす底面図、図３〜図６は本例の車いす用グローブ１の装着手順を表す平面図及び底面図であり、図３は利用者の手６の手の平を本体面２に宛がった状態の平面図、図４は副分割面４、主分割面３の順に掛け回して手の甲上で重ね合わせた状態の平面図、図５は最後に装着面５を掛け回して主分割面３に重ね合わせた状態の平面図、そして図６は装着状態の底面図を表している。各図において、説明の便宜上、本体面２が手の平に接する側を内面として平面図により表し、本体面２に保護パッド21を取り付ける側を外面として底面図により表している。
【００１７】
本例の車いす用グローブ１は、図１及び図２に見られるように、手の平の外形及び大きさを合わせた平面視略長方形の本体面２から、小指下の手の側縁（小指下から手首までの側縁）に掛け回して手の甲に至る主分割面３、人差指及び親指の間に掛け回して手の甲に至る副分割面４、そして親指下の手の側縁（親指下から手首までの側縁）に掛け回して手の甲に至る装着面５をそれぞれ延ばした三法手裏剣様の外形をしている。本体面２、主分割面３、副分割面４及び装着面５は別体であるが、相互に縫着した上（縫着糸は図示略）、全体外形に倣って縁取布11を周回させ、一体性を実現している。本例の縁取布11は、スエード生地からなり、後述するループ伸縮面31又は装着伸縮面51となるメッシュ生地の伸縮性を損ねないようにしている。
【００１８】
本体面２は、触感を軟らかくするスエード生地からなり、外面（車いすのリムに接触する側の面）に平面視ハート形のゴムシートからなる保護パッド21を取り付けている。保護パッド21は、本体面２に分離不能に取り付けることもできるが、例えば本体面２と保護パッド21とを面ファスナーにより着脱自在にすると、本体面２に対して位置調整自在かつ着脱自在にして、交換可能にできる。また、図示を略するが、本体面２を袋状に構成して内部に保護パッド21を収納してもよい。
【００１９】
主分割面３は、本体面２に連続するループ伸縮面31と、前記ループ伸縮面31に連続する面ファスナーの雌面32,33とから構成される。ループ伸縮面31は、ナイロン糸及びポリウレタン糸製のメッシュ生地（ポリウレタン糸方向に伸縮し、ナイロン糸方向に非伸縮）からなる。面ファスナーの雌面32,33はナイロン製で、副分割面４に重ね合わせる内面（手の側縁に掛け回すため、内面が裏返って副分割面４に向く）に面ファスナー32を、装着面５が重ね合わせられる外面（手の側縁に掛け回すため、外面が表返って装着面５に向く）に面ファスナー33を割り当て、ループ伸縮面31の端縁を挟んで周縁で縫着、一体化している。本例の面ファスナーの雌面32,33は同じ外形及び大きさであるが、異なる外形及び大きさでもよい。主分割面３全体は、およそ小指下の手の側縁の長さに等しい幅で、前記手の側縁に掛け回して手の甲の中心付近まで延びる外形及び大きさである。
【００２０】
副分割面４は、スエード生地からなり、人差指及び親指の間に掛け回すことにより前記親指の動きを妨げない配慮から細い幅の括れ部41を介して、手の甲に掛け回した上記主分割面３と係合しうる長さ、外形及び大きさである。本例の副分割面４は、主分割面３及び副手を係合して形成される本体ループ12（図４参照）が主分割面３に設けたループ伸縮面31により緊張状態となることから、別途伸縮面を設けておらず、本体面２と同じスエード生地により前記本体面２と同じ触感を確保している。また、主分割面３を重ね合わせる副分割面４の外面には、ナイロン製の面ファスナーの雄面42を設けている。本例の副分割面４に設ける面ファスナーの雄面42は、主分割面３に内面に設ける面ファスナーの雌面32より小さくしている。
【００２１】
装着面５は、主分割面３及び副分割面４を係合して形成される本体ループ12（図４参照）に交差して前記主分割面３に係合されることから、本体ループ12と別に利用者の手６を締め付けられるように、上記ループ伸縮面31同様のメッシュ生地からなる装着伸縮面51で全体を構成している（図２参照）。この装着面５は、およそ親指下の手の側縁の長さに等しい幅で、手の甲に掛け回した上記主分割面３と係合しうる長さ、外形及び大きさで構成している。本例の装着面５は、主分割面３に重ね合わせる内面には、上記副分割面４同様、ナイロン製の面ファスナーの雄面52を設けている。このほか、本例の装着面５は、利用者の手６に掛け回す方向に延びるガイドループ53を外面に設けている。このガイドループ53は、伸ばした長さより短い間隔で離した両端をそれぞれ装着面５に縫着することにより、常に装着面５から浮かせた状態で架け渡し、容易に指を引っ掛けることができるようにしている。
【００２２】
本例の車いす用グローブ１は、次の手順で利用者の手６に装着する。まず、図３に見られるように、外面を下にしてテーブル等の上に拡げた車いす用グローブ１の本体面２に対し、手の平を被せるように宛がう（図３中利用者の手６は仮想線表示）。このとき、少なくとも主分割面３が小指下の手の側縁から、副分割面４が人差指と親指との間からそれぞれ覗くように、利用者の手６に対して車いす用グローブ１の姿勢を整えておくと、前記主分割面３及び副分割面４による本体ループ12を形成しやすくなる。前記本体ループ12の形成は、車いす用グローブ１の大きさを利用者の手６に合わせて調整する働きを有しているので、前記姿勢の調整をしておくことが好ましい。
【００２３】
次いで、図４に見られるように、先に副分割面４を人差指と親指との間から掛け回して手の甲に載せ、続けて同様に、主分割面３を小指下の手の側縁に掛け回して、前記副分割面４の面ファスナーの雄面42に対して主分割面３の面ファスナーの雌面32を係合させる。このとき、主分割面３は本体面２から掛け回す方向に伸縮するループ伸縮面31を有しており、前記ループ伸縮面31を伸ばして主分割面３を副分割面４に係合すると、主分割面３及び副分割面４が形成する本体ループ12が緊張状態となり、利用者の手６を締め付けることができる。
【００２４】
本体ループ12は、利用者の手６の人差指から小指までの四指を一体に抜き差しさせる。ここで、本体ループ12は利用者が形成してもよいが、指の不自由な利用者を想定した場合、介護者に協力を得て、前記介護者に前記本体ループ12を形成してもらうとよい。そして、実際の利用場面では、この本体ループ12を保持したまま、すなわち本体ループ12を解除することなく利用を繰り返す。本発明の車いす用グローブ１は、最初の状態は本体面２から３方向に主分割面３、副分割面４及び装着面５に延びる三法手裏剣様の布片に過ぎないが、形成した本体ループ12を保持したまま利用を繰り返すことから、前記本体ループ12を形成した状態を指して「グローブ」と呼んでいる。
【００２５】
利用者の四指は、本体ループ12に対して容易に抜き差しできるので、この本体ループ12を形成した状態で車いす用グローブ１を保管しておけば、指の不自由な利用者であっても、以後の装着作業（装着面５の掛け回し及び主分割面３に対する係合）は容易に実行できる。本体ループ12は利用者の手６に合わせて形成され、四指を差し込むとループ伸縮面31が伸びて緊張状態が作り出されるので、本体ループ12は利用者の手６に密着し、装着安定性を損ねることはない。これから、本体ループ12の形成は、本発明の車いす用グローブ１を利用者の手６に合わせて使用状態の大きさを調整する働きを有している。
【００２６】
利用者が、四指を本体ループ12に通した後、図５に見られるように、装着面５のガイドループ53に残る利用者の手（図示略）の指を引っ掛けて、装着伸縮面51を伸ばしながら親指下の手の側縁から主分割面３に装着面５を掛け回し、主分割面３の面ファスナーの雌面33に対して装着面５の面ファスナーの雄面52を係合させると、装着作業が完了する。上述したように、本体ループ12は利用者の手６に合わせて大きさが調整されているので、更に装着伸縮面51を伸ばして緊張状態にした装着面５を係合させると、利用者の手６を３方向から締め付けて、車いす用グローブ１としての装着安定性が確保される。
【００２７】
本体面２は、図６に見られるように、外面に保護パッド21を取り付けている。この保護パッド21を面ファスナーにより本体面２に対して着脱自在とすれば、例えば上述までの装着作業の間は保護パッド21を外しておき、装着作業完了後、利用者の好みに応じて、利用者自身又は介護者により保護パッド21を後付けできる。保護パッド21は、本体面２に比べて肉厚のゴムシートから構成しており、耐久性を確保するために通常硬めに作られることから、本体面２の柔軟性を少なからず損ねる。これから、使用の有無が選択できる着脱自在な保護パッド21が好ましい。また、場合によって、保護パッド21を複数に分割して、個別に本体面２に対して着脱自在にしてもよい。
【００２８】
車いす用グローブ１は、装着面５のガイドループ53に残る利用者の手（図示略）の指を引っ掛けて装着面５を持ち上げれば、面ファスナーの係合が解除され、主分割面３から装着面５を外すことができる。そして、主分割面３及び副分割面４により形成される本体ループ12から四指を抜けば、車いす用グローブ１の取り外し作業は完了する。後は、既述したように、本体ループ12を解除することなくそのまま車いす用グローブ１を保管し、次に使用する際には、本体ループ12に四指を差し込み、装着面５のみを主分割面３に係合すればよい。このように、本発明の車いす用グローブ１は、装着作業及び取り外し作業が容易で、指の不自由な利用者だけで着脱できる特徴を有する。
【図面の簡単な説明】
【００２９】
【図１】本発明を適用した車いす用グローブ（左手用）の一例を表わす平面図である。
【図２】本例の車いす用グローブを表わす底面図である。
【図３】本例の車いす用グローブの装着手順で、利用者の手の手の平を本体面に宛がった状態の平面図である。
【図４】本例の車いす用グローブの装着手順で、副分割面、主分割面の順に掛け回して手の甲上で重ね合わせた状態の平面図である。
【図５】本例の車いす用グローブの装着手順で、最後に装着面を掛け回して主分割面に重ね合わせた状態の平面図である。
【図６】本例の車いす用グローブの装着手順で、装着状態の底面図である。
【符号の説明】
【００３０】
１  車いす用グローブ
12  本体ループ
２  本体面
21  保護パッド
３  主分割面
31  ループ伸縮面
32  面ファスナーの雌面（内面）
33  面ファスナーの雌面（外面）
４  副分割面
42  面ファスナーの雄面（外面）
５  装着面
51  装着伸縮面
52  面ファスナーの雄面（内面）
53  ガイドループ
６  利用者の手
【図１】
2008063679.tif 000003
【図２】
2008063679.tif 000004
【図３】
2008063679.tif 000005
【図４】
2008063679.tif 000006
【図５】
2008063679.tif 000007
【図６】
2008063679.tif 000008